(57)【要約】    【課題】  ベッド上で楽な姿勢をとりながら快適に按摩することができ、生活スペースを広く使用しうるとともに高齢者など介護し易いベッドを提供する。    【解決手段】寝具を載置する寝具受け枠と、該寝具受け枠を支持するベッド枠体とを具えたベッドであって、前記寝具受け枠の、就寝者の頭部が向く前側部分に、前後方向の中心線廻りで上、下が反転可能な反転部を設けるとともに、前記反転部の上下一方に、就寝者を押圧して按摩しうるマッサージ装置を設けるとともに、上下他方を就寝者の背部を受ける受部とし、しかも前記反転部を、各反転状態で保持する保持手段を具えたことを特徴とする。【選択図】  図２
2005342176.tif 000002
【特許請求の範囲】
【請求項１】
寝具を載置する寝具受け枠と、該寝具受け枠を支持するベッド枠体とを具えたベッドであって、
前記寝具受け枠の、就寝者の頭部が向く前側部分に、前後方向の中心線廻りで上、下が反転可能な反転部を設けるとともに、
前記反転部の上下一方に、就寝者を押圧して按摩しうるマッサージ装置を設けるとともに、上下他方を就寝者の背部を受ける受部とし、
しかも前記反転部を、各反転状態で保持する保持手段を具えたことを特徴とするベッド。
【請求項２】
前記寝具受け枠は、就寝者の頭部が向く前側部分に、後端部が前記ベッド枠体に枢支され、リクライニング状態に起き上がり可能な上半身支持枠部を含み、かつ前記反転部は、該上半身支持枠部に設けられるとともに、
前記反転部は、該反転部を前後で枢支する矩形状の反転用固定枠とともに反転主体部をなすことを特徴とする請求項１記載のベッド。
【請求項３】
前記反転部は、該反転部の中心線で延びる反転軸を、前記反転用固定枠の前後で枢支されることにより反転しうるとともに、この反転部は、板状の基板を有し、かつ前記マッサージ装置は、基板を前後にのびるレール部を往復動するとともに、該レール部と直交方向の支軸で枢支されかつ最大径部を含む面を前記支軸に対して傾斜させしかも回転するモミ玉を具えることを特徴とする請求項１又は２記載のベッド。
【請求項４】
前記保持手段は、前記反転用固定枠に設けられ、バネにより付勢され内方の反転部に突出する突部を有する係止部と、前記反転部に設けられ前記突部が係止することにより反転部を反転状態で保持する係止受部とを具えるとともに、
人手により前記バネに抗して前記突部を引き込める解除手段を具えたことを特徴とする請求項１〜３のいずれかに記載のベッド。
【発明の詳細な説明】
【技術分野】
【０００１】
本発明は、マッサージ装置を内蔵し、就寝者が快適に按摩できるベッドに関する。
【背景技術】
【０００２】
従来、マッサージ手段を椅子の背もたれ部に内蔵し、座りながら首筋、背中、腰などを按摩するマッサージ椅子が多用され、このマッサージ椅子の背もたれ部は、リクライニング構造が採用され、楽な姿勢で高いマッサージ効果を得られるように工夫されている（例えば、特許文献１参照）。
【０００３】
しかし、リクライニングするものの、狭い椅子で姿勢の持続には限界があり、特に弱い刺激を持続し血行促進するなどの施療には不向きであった。しかも機械装置を内蔵して、大型化するため、マッサージの都度出入れして使用することが難しく、スペースがないと設置できないこともあった。
【０００４】
また、高齢者、身体に支障を抱える人などが使用する際、ベッドとマッサージ椅子との間の移動に介護者の手助けを必要とし、またベッド横にマッサージ椅子を設置すると、介護の邪魔になるなどの問題があった。
【０００５】
そこで、このようなマッサージ椅子の課題を解決し、ベッド上の楽な姿勢で按摩を行うため、電動式その他のマッサージ器をベッド枠体、ベッドに載置されるマットなどに内蔵することが考えられる。
【０００６】
【特許文献１】特開２００３−７０８６０号公報
【発明の開示】
【発明が解決しようとする課題】
【０００７】
しかしながら、按摩を行わない時、その上に寝具を重ねても、マッサージ器のモミ玉などの凸部が、就寝者の背中、肩などを圧迫するため、不快感から安眠、休息が得られず、特に高齢者においては、部分的な圧迫が原因である褥瘡（床ずれ）を生じる恐れがある。また、按摩の都度マッサージ器をベッドに装着する方式を採用すると、煩雑、かつ力の要る着脱操作が必要になるため、高齢者、非力な女性、年少者では取扱が難しいという問題がある。
【０００８】
本発明は、寝具受け枠にマッサージ装置を具えた反転部を設けることを基本とし、マッサージ装置未使用時には、普通のベッドとして快適に使用でき、マッサージ装置は簡単に出入れできるとともに広いベッド上で効果的な按摩できるベッドの提供を課題としている。
【課題を解決するための手段】
【０００９】
前記目的を達成するために、請求項１に係る発明は、寝具を載置する寝具受け枠と、該寝具受け枠を支持するベッド枠体とを具えたベッドであって、前記寝具受け枠の、就寝者の頭部が向く前側部分に、前後方向の中心線廻りで上、下が反転可能な反転部を設けるとともに、前記反転部の上下一方に、就寝者を押圧して按摩しうるマッサージ装置を設けるとともに、上下他方を就寝者の背部を受ける受部とし、しかも前記反転部を、各反転状態で保持する保持手段を具えたことを特徴とする。
【００１０】
また請求項２に係る発明では、前記寝具受け枠は、就寝者の頭部が向く前側部分に、後端部が前記ベッド枠体に枢支され、リクライニング状態に起き上がり可能な上半身支持枠部を含み、かつ前記反転部は、該上半身支持枠部に設けられるとともに、前記反転部は、該反転部を前後で枢支する矩形状の反転用固定枠とともに反転主体部をなし、また請求項３に係る発明では、前記反転部は、該反転部の中心線で延びる反転軸を、前記反転用固定枠の前後で枢支されることにより反転しうるとともに、この反転部は、板状の基板を有し、かつ前記マッサージ装置は、基板を前後にのびるレール部を往復動するとともに、該レール部と直交方向の支軸で枢支されかつ最大径部を含む面を前記支軸に対して傾斜させしかも回転するモミ玉を具えることを特徴とする。
【００１１】
また請求項４に係る発明は、前記保持手段は、前記反転用固定枠に設けられ、バネにより付勢され内方に反転部に突出する突部を有する係止部と、前記反転部に設けられ前記突部が係止することにより反転部を反転状態で保持する係止受部とを具えるとともに、人手により前記バネに抗して前記突部を引き込める解除手段を具えたことを特徴とする請求項１〜３のいずれかに記載のベッドである。
【発明の効果】
【００１２】
請求項１に係る発明は、寝具受け枠に上下一方にマッサージ装置を設け、他方に就寝者の背部を受ける受部を具える反転部を設けたため、マッサージ装置未使用時は、反転部をマッサージ装置を下側にして反転し、受部を上向きとすることにより、該受部とこれに隣接する寝具とで出張りのないフラットな面が形成され、通常のベッドとして快適に使用でき、安眠が得られる。またマッサージ装置は、反転部の反転操作によりベッド上に簡単に出し入れでき、高齢者、子供でも簡単に取扱いできる。マッサージ装置を上にした反転状態では、広いベッド上で楽な姿勢をとりながらマッサージできるため、長時間使用しても疲れることなく、快適に按摩できる。特に患部に柔らかい刺激を長時間与え、血行増進するなどの施療にも効果的に使用できる。またベッド上で按摩できるため、高齢者の介護を楽に行え、マッサージ椅子を別途設置しないためスペースを広く使用できる。
【００１３】
また請求項２に係る発明のように、前記反転部をリクライニング状態に起き上がり可能な上半身支持枠部に設けると、水平な展開状態、および上半身が起き上がるリクライニング状態を選択してマッサージできるため、疲労状態などの体調、気分その他の就寝者の状況に応じた姿勢で使用でき、マッサージ効果を一段と高めうる。
【００１４】
また請求項３に係る発明のように構成すると、反転部は反転用固定枠に前後において枢支されるため、スムースかつ安定した反転動作がえられ、マッサージ装置は前後に往復動するため、就寝者は体を動かすことなく、広い範囲に亘って按摩でき、しかもそのマッサージ装置は、支軸に対し傾斜して回転するモミ玉を具えるため効果的なマッサージ効果がえられる。
【００１５】
また請求項４に係る発明のように構成すると、保持手段により、反転部の反転状態を確実に保持することができるため、快適性、安全性を高めることができ、解除手段により反転操作を簡単に行なうことができ、高齢者、非力な子供でも容易に取り扱うことができる。
【発明を実施するための最良の形態】
【００１６】
以下、本発明の実施の一形態を、図示例とともに説明する。図１に示すように、ベッド１は、寝具２を載置する寝具受け枠３と、この寝具受け枠３を支持するベッド枠体４とを具え、前記寝具受け枠３には、就寝者Ｓの頭部が向く前側部分（以下、就寝者Ｓの頭部が向く側を前側とする）に反転部５を設ける。
【００１７】
前記ベッド枠体４は、図１、２に示すように、パイプ材等を矩形状に枠組みした外枠体４ａと、この外枠体４ａの内側に配され、前後に延びる縦の補強桟４ｂと、ベッドの巾方向に延びる横の補強桟４ｄとからなる。また前記外枠体４ａは、その４隅に斜めに架け渡され、かつ該外枠体４ａを補強する斜材４ｅを有し、各斜材４ｅに円柱状の支脚部４ｆが設けられる。さらに外枠体４ａの略中央に、前記横の補強桟４ｄに上端が固着された中央の支脚部４ｆを設け、本形態のベッド枠体４は、前記５本の支脚部４ｆによって床上に載置される。
【００１８】
前記ベッド枠体４は、縦の補強桟４ｂ、４ｂ間にベッド巾方向の回転軸３１を架け渡し、この回転軸３１には、その中位にレバー３１ａが、その両端部に前方にのびる一対の支持アーム３２、３２が各々形成される。そして前記レバー３１ａの先端を押引きする駆動装置３４を設け、これにより支持アーム３２、３２は回転軸３１とともに回動する。前記駆動装置３４は、本形態では、電動機などを有する本体部３３Ａと、該電動機の正転、逆転により本体部３３Ａから伸び縮み（出没）自在なロッド３３Ｂとを具えるボールネジ機構を用いた電動式シリンダ３３を用いたものが例示される。
【００１９】
前記寝具受け枠３は、パイプ材等を枠組みした枠本体３ａと、この枠本体３ａが囲む空所に配された金網状の下張り材３ｂと、前後、又はベッド巾方向の補強材３ｄとからなり、マットＭからなる寝具２が載置される。また本形態の、寝具受け枠３は、前側部分に配された上半身支持枠部９と、後側部分に配された下半身支持枠部３Ａと、両者の間に配された臀部支持枠部３Ｂとにより構成され、下半身支持枠部３Ａ及び臀部支持枠部３Ｂは、前記ベッド枠体４上に固着される。一方上半身支持枠部９は、その後端部がピンＰ１により臀部支持枠部３Ｂの前端部に軸着され、これによりベッド枠体４に枢支される。また上半身支持枠部９は、図１に示すように、前記駆動装置３４により回動する支持アーム３２、３２の先端で押上げることにより、リクライニング状態に起き上がる。図示されないリモコンの操作により駆動装置３４を制御し、前記リクライニング角度を任意に調整できる。
【００２０】
前記上半身支持枠部９のベッド巾方向中央には、図６に示すように、反転用固定枠１０が設けられ、この反転用固定枠１０は、パイプ材を用いた前、後の固定枠材１０ｆ、１０ｂと、該前、後の固定枠材１０ｆ、１０ｂの端部間に架け渡された一対の側部の固定枠材１０ｓ、１０ｓとで枠組みされて矩形状をなす。なお反転用固定枠１０が囲む内側には、前記下張り材３ｂ、補強材３ｄは配設されない。また反転用固定枠１０は、前記上半身支持枠部９の前部、後部に固着された前、後の取付け材３５ｆ、３５ｂの上に、前の固定枠材１０ｆ、後の固定枠材１０ｂを固着することにより取付けられ、さらに寝具受け枠３の枠本体３ａと補強材３ｄとの間に架け渡された中間の取付け材３５ｍ、３５ｍの内端部で側部の固定枠材１０ｓの中間部が固着支持されている。
【００２１】
前記反転用固定枠１０の側部の固定枠材１０ｓ、１０ｓには、図３、７に示すように、内端部が内方に突出するとともにピンＰ２によって回動可能に支持された回動片３７を設ける。この回動片３７は側部の固定枠材１０ｓの前後に一対配置され、さらにこれら前後の回動片３７、３７は、その外端部が前後方向にのびるリンク３６にピンＰ３により各々枢支される。該リンク３６は、後端部が反転用固定枠１０の後の固定枠材１０ｂの端部との間に架け渡されたバネ１７により後方に引張られ、前端部には、紐状体４０の一端が固着される。
【００２２】
前記リンク３６の前端部から前方に延びる紐状体４０は、側部の固定枠材１０ｓと前の固定枠材１０ｆとの接合部に設けられた滑車４５にガイドされて９０度内方へ折れ曲がり、前の固定枠材１０ｆの前側において内方に向けて延びる。そして両側のリンク３６、３６から延びる一対の紐状体４０、４０の先端は、前の固定枠材１０ｆの中央で前後にのびる支持軸３８により枢支された回転翼３９の、前記支持軸３８を挟んで向合う固着点に各々固着される。
【００２３】
このように構成されたリンク３６は、操作が加わらない時は、図１０（Ａ）に示すように、バネ１７に引張られて後方にスライドし、このリンク３６に連結された回動片３７の内端部からなる突部１８が側部の固定枠材１０ｓの内側に突出する。また図１０（Ｂ）に示すように、回転翼３９を回転すると、紐状体４０に引っ張られたリンク３６はバネ力に抗して前方に移動し、回動片３７の突部１８は逆に後方に向け回転し、側部の固定枠材１０ｓからの突出寸法を減じる。なお前記回転翼３９の一端は延長され、操作用の摘み３９ａが形成される。
【００２４】
また前記反転用固定枠１０の前、後の固定枠材１０ｆ、１０ｂには、図３、６に示すように、その略中央上部に門形をなす前、後の軸支持部４１ｆ、４１ｂが形成される。またこの前、後の軸支持部４１ｆ、４１ｂには上半身支持枠部９の前後方向の中心線ＣＬ２上で前後に並ぶ滑り軸受５８ｆ、５８ｂを設ける。さらに該軸支持部４１ｆ、４１ｂの上部には、後方、前方に向け水平に突出するとともに下部に当受部４２ａを有する一対の回転阻止棒４２、４２が形成される。
【００２５】
前記反転部５は、図４、６に示すように、板状の基板１３と、マッサージ装置６と、このマッサージ装置６を支持するレール部１４と、マッサージ装置６を往復動させる駆動部５３と、マッサージ装置６を覆うカバー部４７と、受部７とを具える。
【００２６】
前記基板１３は、本形態では、前記反転用固定枠１０内で回転可能とするため、反転用固定枠１０の内部空所よりも少し小さな矩形状をなし、かつ図５に示すように、前、後端部に断面Ｌ字状の取付材を固着することにより垂直な前、後の取付板４３ｆ、４３ｂが形成される。またこの前、後の取付板４３ｆ、４３ｂには、図３に示すように、反転部５の中心線ＣＬ１で前方、後方に延びる前、後の反転軸１２ｆ、１２ｂが突設され、さらに前、後の反転軸１２ｆ、１２ｂの中間には、軸中心に垂直、かつ放射方向の位相が同一の回転棒５９ｆ、５９ｂが突設される。
【００２７】
前記レール部１４は、図６、８に示すように、前記基板１３の一方の表面で前後に延び、ベッド巾方向に隔設された一対のレール１４Ａ、１４Ａからなる。このレール１４Ａは、基板１３上に固着されるレール基部１４Ａ１と、該レール基部１４Ａ１上に固着される断面Ｚ字状のレールカバー１４Ａ２とからなり、前記レール基部１４Ａ１、およびレールカバー１４Ａ２のフランジ部には、間隔を隔てて上下で向き合うレール溝４８、４８が形成される。
【００２８】
前記駆動部５３は、図３に示すように、前記レール１４Ａ、１４Ａの間で前後にのび、軸受５３Ａにより基板１３に回転可能に取付けられたネジ棒５３Ｂと、このネジ棒５３Ｂを回転駆動を与えるモータ５３Ｄとからなる。
【００２９】
前記マッサージ装置６は、本形態では、図８に示すように、機台６Ａと、支軸１５と、モミ玉１６とを具える。
【００３０】
前記機台６Ａは、図３、８に示すように、その前後にベッド巾方向にのびる車軸５０、５０を有し、この車軸５０の両端に車輪４９、４９を設ける。そしてこの車輪４９が、前記レール部１４のレール溝４８、４８間に挿入されてレール部１４を走行することにより、前記機台６Ａは前後移動可能に支持される。しかも機台６Ａは、その前部に螺合部５４を有し、この螺合部５４が前記駆動部５３のネジ棒５３Ｂに螺合する。その結果、前記駆動部５３のモータ５３Ｄに駆動されたネジ棒５３Ｂの回転により、機台６Ａは、前記レール部１４上を前後に往復動する。
【００３１】
前記支軸１５は、図８に示すように、機台６Ａの両側で立ち上がる袖部５１、５１間に架け渡され、前記レール部１４と直行する。しかもこの支軸１５は、袖部５１に取付けられた軸受５２によって支持されるとともに、機台６Ａ上に取付けられたモータからなる駆動器６０に駆動されて回転する。
【００３２】
前記モミ玉１６は、図８に示すように、間隔を隔てて設けられかつ向合う面に凸部１６Ａ、１６Ａが突設された押圧盤１６Ｂ、１６Ｂを具える。この押圧盤１６Ｂは、キー溝６１に設けた図示されないキーにより前記支軸１５に回転不能に取付けられたハブ５５の外周面に傾斜軸受５６を用いて回転可能に取付けられる。しかも前記傾斜軸受５６、５６は、互いに逆向きに、前記支軸１５の中心線Ｘに対してα度（例えば６〜１０度程度）傾いて形成されているため、前記押圧盤１６Ｂ、１６Ｂは、支軸１５の回転と共に互いに逆向きの傾動を繰返し、その結果向合う凸部１６Ａ、１６Ａの間隔が周期的に増減する。
【００３３】
しかして、図９（Ａ）に示すように、押圧盤１６Ｂ、１６Ｂの上部の凸部１６Ａ、１６Ａ間の距離が減じると、前記凸部１６Ａ、１６Ａが、その間のマッサージ部位６３を挟んで加圧、刺激する。そして、支軸１５が９０度回転すると、図９（Ｂ）に示すように、押圧盤１６Ｂ、１６Ｂは直立姿勢に移るため凸部１６Ａ、１６Ａ間の距離が広がり、マッサージ部位６３への加圧が減じる。支軸１５がさらに９０度回転すると、図９（Ｃ）に示すように、押圧盤１６Ｂ、１６Ｂは上側に広がる状態に傾斜し、マッサージ部位６３への加圧がなくなる。以下この動作が繰り返され、支軸１５の回転に伴い、押圧盤１６Ｂ、１６Ｂの凸部１６Ａ、１６Ａ間の距離が周期的に増減し、マッサージ部位６３を挟む加圧刺激を繰り返すことにより効果的なマッサージ効果がえられる。しかも、本形態のマッサージ装置６は、前記の如く、前記機台６Ａが駆動部５３に駆動されてレール部１４を往復動するため、就寝者Ｓは体を動かすことなく、広い部位に亘るツボを順次按摩することができる。
【００３４】
前記カバー部４７は、マッサージ装置６、レール部１４、および駆動部５３の上を覆って形成される。このカバー部４７は、前記マッサージ装置６のモミ玉１６を突出させる前後に長い長孔６２を有する覆板４７ａと、この覆板４７ａの前後で基板１３側に直角に折れ曲がる前板４７ｂ、後板４７ｄと、覆板４７ａのベッド巾方向の両端部から基板１３側に直角に折れ曲がる側板４７ｅ、４７ｅとからなり、矩形箱状をなす。そして、前記前板４７ｂ、後板４７ｄおよび側板４７ｅ、４７ｅの端部が、基板１３に固着される。また前記基板１３と側板４７ｅとの接続角部には、前後にのびる断面Ｌ字状の第１の段部５７ａが形成され、同様に覆板４７ａと側板４７ｅとの接続角部には、第２の段部５７ｂが形成される。
【００３５】
前記受部７は、図１２に示すように、前記基板１３のマッサージ装置６を設けた側と反対側の面により形成され、上向きの反転状態において就寝者の背部を支持する。なお本形態の受部７には、薄厚のマットＭｓが設けられる。
【００３６】
このように構成された反転部５は、前記基板１３の前、後の反転軸１２ｆ、１２ｂを、前記反転用固定枠１０の前、後の軸支持部４１ｆ、４１ｂに形成された前記滑り軸受５８ｆ、５８ｂに挿通する。これにより反転部５は、その前後方向の中心線ＣＬ１が上半身支持枠部９の前記中心線ＣＬ２に一致して配置されるとともに前記反転用固定枠１０に前後が枢支され、前記中心線ＣＬ１廻りで反転可能に支持される。このように本形態の反転部５は、反転用固定枠１０に前後で枢支されるため、スムースに反転動作しうる点で好ましい。なお前の反転軸１２ｆの前端部には、直角に折れ曲がった操作部４４が設けられる。また反転部５は、反転用固定枠１０とともに反転主体部１１を構成する。
【００３７】
しかして、前記操作部４４を回動操作して、図１１に示すように、前記反転部５がマッサージ装置６を上にして反転すると、回転棒５９が紙面上右側に配された回転阻止棒４２の当受部４２ａに下方から当接することによりそれ以上の回転が阻止され、反転部５が水平な位置で停止する。
【００３８】
またこの時、前記の如く、前記反転用固定枠１０の両側の側部の固定枠材１０ｓ、１０ｓに設けられ、バネ１７のバネ力に付勢されて側部の固定枠材１０ｓの内側に突出する前記回動片３７、３７の突部１８、１８は、前記反転部５のカバー部４７のベッド巾方向両側に形成された第１の段部５７ａ、５７ａに各々係合する。これにより前記反転部５は、回転が拘束され、マッサージ装置６を上にした反転状態が確実に保持されるため、反転部５が不意に動くことがなく安全性を高める。この反転状態において、就寝者Ｓは広いベッドの上で楽な姿勢をとりながらマッサージできる。その結果、長時間使用しても、疲れ、苦痛がなく、リラックスして快適に按摩できるため、患部に柔らかい刺激を繰り返して血行増進を図るなどの治療も有効に行える。またベッド上で按摩するため、高齢者の介護作業がやり易く、マッサージ椅子の設置が不要なためスペースを広く活用できる。
【００３９】
また、図１に示すように、上半身支持枠部９をリクライニング状態に引き起して、マッサージすることもでき、疲労状態などの体調、時間帯などによる気分、その他就寝者Ｓの状況に応じて、水平な展開状態と何れかを選択して使用でき、マッサージ効果をより高めることができる。また長時間の使用においては、リクライニング角度を途中で変化させることも有効である。
【００４０】
前記反転部５を反転する際には、先ず前記摘み３９ａを操作して回転翼３９を回転することにより、紐状体４０を介してリンク３６をバネ力に抗して前方に移動させる。これにより、図１０（Ｂ）に示すように、回動片３７の突部１８が側部の固定枠材１０ｓからの突出寸法を減じて、前記第１の段部５７ａとの係合が解除され、反転部５の拘束がなくなる。このように本形態では、前記リンク３６と、回転翼３９と、これらを結ぶ紐状体４０とで、回動片３７の突部１８を引き込めて、反転部５の保持を解除する解除手段２１を形成する。
【００４１】
前記解除手段２１を用い、反転部５の保持を解除した状態で、図４、１２に示すように、受部７を上にして反転部５を反転すると、回転棒５９が紙面上左側に配された回転阻止棒４２の当受部４２ａに当接してそれ以上の回転が阻止され、水平姿勢で停止する。さらに前記解除手段２１の摘み３９ａを放すと、前記回動片３７、３７の突部１８、１８がバネ力により反転部５に向けて突出して第２の段部５７ｂ、５７ｂに各々係合し、これにより反転部５は、再び回転が拘束される。前記操作によりマッサージ装置６を寝具受け枠３の下側に配した反転状態では、上側に反転した受部７のマットＭｓ１上で就寝者Ｓの背中を受けて通常のベッドとして使用できる。なおこのとき前記マットＭｓ１と、隣接するマットＭとはその表面が整一に揃い、かつマッサージ装置６のモミ玉１６などが出張ることがないため、就寝者は快適に安眠することができる。
【００４２】
なお本形態の回動片３７により、突部１８を有する係止部１９が形成され、また前記突部１８に係合して反転部５の反転を保持する前記第１、第２の段部５７ａ、５７ｂにより係止受部２０が形成される。さらに前記係止部１９と、係止受部２０とで、反転部５を各反転状態で保持する保持手段８が形成される。
【００４３】
マッサージ装置６は、前記の如く反転部５の反転操作により簡単に出し入れでき、しかもその反転部５は、保持手段８により反転状態を確実に保持できるとともに、反転に際し前記解除手段２１を用いて、前記保持手段８を解除しうるため、高齢者、子供でも簡単に反転操作できる。
【００４４】
図１３は、ベッド１の他の実施形態を例示する。以下異なる内容について説明し、それ以外は図中に表れた主要な構成に同じ符号を付すのみとする。本形態の保持手段８は、図１３、１５に示すように、反転用固定枠１０の前、後の固定枠材１０ｆ、１０ｂに挿通する前、後のスライド部材６４ｆ、６４ｂからなる係止部１９と、前記スライド部材６４を反転用固定枠１０の内方へ付勢する押しバネ６５と、反転部５の基板１３、およびカバー部４７の覆板４７ａに固着された前後にのびるパイプ状の係止受部２０とを具える。
【００４５】
前記前のスライド部材６４ｆは、ベッド巾方向に隔設された前後方向のスライド軸６４ｆ１、６４ｆ１と、このスライド軸６４ｆ１、６４ｆ１の前端部に架け渡される継ぎ部６４ｆ２とが一体に形成されて略Ｕ字状をなす。この前のスライド部材６４ｆは、スライド軸６４ｆ１、６４ｆ１が前の固定枠材１０ｆに固着されたスライド支持部６６、６６に貫挿し、これににより前後方向に移動可能に取付けられ、更にスライド支持部６６内に設けた前記押しバネ６５が、スライド軸６４ｆ１に固着された鍔６７を後方に押圧することにより、後方に向け付勢され、反転部５に向け突出するスライド軸６４ｆ１の先端で突部１８が形成される。そして前記付勢されて突出する突部１８が、前記係止受部２０に嵌合することにより、反転部５の回動が阻止され、反転状態が保持される。
【００４６】
また後のスライド部材６４ｂも、前記前のスライド部材６４ｆと同様に構成される。これにより反転部５は、その前後で係止部１９と係止受部２０とが係止するため、図１４、１６に示すように、反転状態が安定して保持される。
【００４７】
本形態の解除手段２１は、前記前のスライド部材６４ｆの継ぎ部６４ｆ２に設けられた略Ｕ字状の持ち手６８と、前記前、後のスライド部材６４ｆ、６４ｂに各々の端部を固着された紐状体６９とを含み構成されたものを例示している。前記紐状体６９は、その前端が前のスライド部材６４ｆに設けた取付フック７０ｆに固着され、前記前の固定枠材１０ｆと側部の固定枠材１０ｓとの接合部で外向きに設けられた第１の案内滑車Ｋ１と、後の固定枠材１０ｂと側部の固定枠材１０ｓとの接合部で外向きに設けられた第２の案内滑車Ｋ２と、後の固定枠材１０ｂの略中央で後方に突出して設けられた固定台７１に設けられた第３の案内滑車Ｋ３とによりガイドされることにより反転用固定枠１０を半周周回し、その後端が、後のスライド部材６４ｂに設けた取付フック７０ｂに固着される。
【００４８】
しかして、前記持ち手６８を把持し、前記前のスライド部材６４ｆをバネ力に抗して前方にスライドすることにより、前のスライド部材６４ｆの突部１８が後退して、一方（例えば基板１３）に形成された係止受部２０との係合が外れる。同時に前記紐状体６９により連結された後のスライド部材６４ｂの突部１８も係止受部２０から外れて、反転部５の保持が解除され、上下を逆転した反転状態へ反転できる。そして持ち手６８の引きを解除すると、スライド部材６４ｆの突部１８がバネ力により突出し、他方（例えば覆板４７ａ）に形成された係止受部２０に係合し、前記逆転した反転状態が保持される。
【図面の簡単な説明】
【００４９】
【図１】本発明の一実施の形態を例示する斜視図である。
【図２】その分解斜視図である。
【図３】その要部平面図である。
【図４】その異なる使用状態の要部平面図である。
【図５】その要部側面図である
【図６】その要部斜視図である。
【図７】その異なる方向の要部拡大斜視図である。
【図８】マッサージ装置を示す断面図である。
【図９】（Ａ）（Ｂ）（Ｃ）は、その異なる動作状態を説明する断面図である。
【図１０】保持装置の動作を説明する平面図である。
【図１１】反転部の動作状態を説明する要部側面図である。
【図１２】反転部の異なる動作状態を説明する要部側面図である。
【図１３】本発明の他の実施の形態を例示す要部平面図である。
【図１４】その要部側面図である。
【図１５】その要部拡大図である。
【図１６】その要部正面図である。
【符号の説明】
【００５０】
１      ベッド
２      寝具
３      寝具受け枠
４      ベッド枠体
５      反転部
６      マッサージ装置
７      受部
８      保持手段
９      上半身支持枠部
１０      反転用固定枠
１１      反転主体部
１２      反転軸
１３      基板
１４      レール部
１５      支軸
１６      モミ玉
１７      バネ
１８      突部
１９      係止部
２０      係止受部
２１      解除手段
Ｓ      就寝者
【図１】
2005342176.tif 000003
【図２】
2005342176.tif 000004
【図３】
2005342176.tif 000005
【図４】
2005342176.tif 000006
【図５】
2005342176.tif 000007
【図６】
2005342176.tif 000008
【図７】
2005342176.tif 000009
【図８】
2005342176.tif 000010
【図９】
2005342176.tif 000011
【図１０】
2005342176.tif 000012
【図１１】
2005342176.tif 000013
【図１２】
2005342176.tif 000014
【図１３】
2005342176.tif 000015
【図１４】
2005342176.tif 000016
【図１５】
2005342176.tif 000017
【図１６】
2005342176.tif 000018